(57)【要約】【課題】大型のアンテナ装置においてもアンテナ通信機器を十分に冷却することができる、アンテナ支持装置を提供する。【解決手段】アンテナ支持装置５において支持体５１は、アンテナ反射板３１の裏面側に配設されてアンテナ反射板３１と共に支持体５１に回転可能に支持される機器内包筐体５２を有している。機器内包筐体５２は、アンテナ通信機器８０を内包する内部空間ＳＰ５２を有すると共に、冷却装置７から放出された冷気を内部空間ＳＰ５２に入力する開口部（冷気入力口）５２Ａ１及びアンテナ通信機器８０の発熱によって開口部から入力された冷気が熱せられて得られた暖気を冷却装置７に向けて放出する開口部（暖気放出口）５２Ａ２を有している。【選択図】図４
2019062280.tif 000002
【特許請求の範囲】
【請求項１】
アンテナ反射板を、互いに直交する第１軸及び第２軸のそれぞれの周りに回転可能に支持する支持体と、
前記アンテナ反射板と共に前記支持体に回転可能に支持される筐体であって、アンテナ通信機器を内包する内部空間を有すると共に、冷却装置から放出された冷気を前記内部空間に入力する冷気入力口及び前記アンテナ通信機器の発熱によって前記冷気入力口から入力された冷気が熱せられて得られた暖気を前記冷却装置に向けて放出する暖気放出口を有する、機器内包筐体と、
を具備するアンテナ支持装置。
【請求項２】
前記支持体は、前記第１軸を保持して前記第１軸によって回転可能に支持される軸保持箱を有し、
前記軸保持箱は、前記冷却装置から放出された冷気を通して前記冷気入力口へ放出する第１冷気流路と、前記暖気放出口から放出された暖気を通して前記冷却装置に向けて放出する第１暖気流路とを、内部に有する、
請求項１記載のアンテナ支持装置。
【請求項３】
前記第１軸は、第１部分軸及び第２部分軸を有し、
前記第１部分軸は、筒状であって、前記冷却装置から放出された冷気を通して前記第１冷気流路へ冷気を放出する第２冷気流路を有し、
前記第２部分軸は、筒状であって、前記第１暖気流路から放出された暖気を通して前記冷却装置に向けて暖気を放出する第２暖気流路を有する、
請求項２記載のアンテナ支持装置。
【請求項４】
前記支持体は、前記第１部分軸及び前記第２部分軸をそれぞれ支持する一対の第１支持片及び第２支持片を有し、
前記第１支持片は、前記第２冷気流路と連通して前記冷却装置から放出された冷気を通して前記第２冷気流路へ冷気を放出する第３冷気流路を内部に有し、
前記第２支持片は、前記第２暖気流路と連通して前記第２暖気流路から放出された暖気を通して前記冷却装置へ暖気を放出する第３暖気流路を内部に有する、
請求項３記載のアンテナ支持装置。
【請求項５】
前記冷却装置は、互いに冷却装置間流路によって接続された第１冷却装置及び第２冷却装置を有し、
前記第２冷却装置は、前記第２支持片の外面に配設されて、前記第３暖気流路から放出された暖気を入力して、冷気を前記冷却装置間流路へ放出し、
前記第１冷却装置は、前記第１支持片の外面に配設されて、前記第２冷却装置から放出された冷気を前記冷却装置間流路を介して入力して、前記第２冷却装置から放出された冷気よりもさらに冷えた冷気を前記第３冷気流路へ放出する、
請求項４記載のアンテナ支持装置。
【請求項６】
前記冷却装置間流路に配設されて、前記軸保持箱を前記第１軸の周りに回転させる回転駆動力を出力する動力出力装置を有する、請求項５記載のアンテナ支持装置。
【請求項７】
前記支持体は、前記第１支持片及び前記第２支持片が連結されて、前記第２軸の回転に伴って前記第１支持片及び前記第２支持片と共に回転可能な支持基台を有し、
前記冷却装置間流路は、前記支持基台の内部空間を含む、
請求項５又は６に記載のアンテナ支持装置。
【請求項８】
前記第１冷却装置は、前記第１支持片に対して相対的に自由に回転可能に第１固定軸を介して固定され、
前記第２冷却装置は、前記第２支持片に対して相対的に自由に回転可能に第２固定軸を介して固定されている、
請求項５から７のいずれか１項に記載のアンテナ支持装置。
【請求項９】
前記機器内包筐体の内部空間に配設されて、該内部空間の静圧を高めるファンをさらに具備する、
請求項１から８のいずれか１項に記載のアンテナ支持装置。
【請求項１０】
前記機器内包筐体は、前記アンテナ反射板の裏面側に配設されており、前記機器内包筐体の内部空間として、前記アンテナ通信機器が配設された第１部分空間と、前記第１部分空間を挟んで前記アンテナ反射板と反対側に配設されて、連通孔を介して前記第１部分空間と連通する第２部分空間とを有する、
請求項１から９のいずれか１項に記載のアンテナ支持装置。
【発明の詳細な説明】
【技術分野】
【０００１】
本発明は、アンテナ支持装置に関する。
【背景技術】
【０００２】
従来、小型のアンテナ装置に実装されるアンテナ通信機器の温度が使用可能温度範囲を超えないようにするために、アンテナ通信機器から発せられる熱を放熱するための、放熱フィン、放熱シート、ペルチェ素子、又は、媒体（例えば、空気、水）等を用いた冷却手段が用いられている（例えば、特許文献１）。
【先行技術文献】
【特許文献】
【０００３】
【特許文献１】特開２０１７−０６３２８８号公報
【発明の概要】
【発明が解決しようとする課題】
【０００４】
しかしながら、アンテナ通信機器の高度化に伴い、アンテナ通信機器から発せられる熱量が増加しているため、上記従来の冷却手段では十分な冷却を実現できない可能性がある。特に、例えば衛星追尾型アンテナ装置のような大型アンテナ装置では、アンテナ通信機器の発熱量が大きく、上記従来の冷却手段では十分な冷却を実現できない可能性がある。
【０００５】
本発明の目的は、大型のアンテナ装置においてもアンテナ通信機器を十分に冷却することができる、アンテナ支持装置を提供することにある。
【課題を解決するための手段】
【０００６】
本発明の一態様にかかるアンテナ支持装置は、アンテナ反射板を、互いに直交する第１軸及び第２軸のそれぞれの周りに回転可能に支持する支持体と、前記アンテナ反射板と共に前記支持体に回転可能に支持される筐体であって、アンテナ通信機器を内包する内部空間を有すると共に、冷却装置から放出された冷気を前記内部空間に入力する冷気入力口及び前記アンテナ通信機器の発熱によって前記冷気入力口から入力された冷気が熱せられて得られた暖気を前記冷却装置に向けて放出する暖気放出口を有する、機器内包筐体と、を具備する。
【発明の効果】
【０００７】
本発明により、大型のアンテナ装置においてもアンテナ通信機器を十分に冷却することができる、アンテナ支持装置を提供することができる。
【図面の簡単な説明】
【０００８】
【図１】第１実施形態のアンテナ支持装置を含むアンテナ装置の一例を示す斜視図である。
【図２】第１実施形態のアンテナ支持装置を含むアンテナ装置の一例を示す側面図である。
【図３】第１実施形態のアンテナ支持装置を含むアンテナ装置の一例を示す背面図である。
【図４】図２のＩＶ−ＩＶ矢視断面図である。
【図５】図３のＶ−Ｖ矢視断面図である。
【図６】支持体の内部における空気の流れを概略的に示す図である。
【図７】機器内包筐体の内部構成の一例を模式的に示す図である。
【図８】機器内包筐体の内部構成の一例を模式的に示す図である。
【発明を実施するための形態】
【０００９】
以下、図面を参照しつつ、実施形態について説明する。
【００１０】
＜第１実施形態＞
＜アンテナ装置の基本構成例＞
図１は、第１実施形態のアンテナ支持装置を含むアンテナ装置の一例を示す斜視図である。図２は、第１実施形態のアンテナ支持装置を含むアンテナ装置の一例を示す側面図である。図３は、第１実施形態のアンテナ支持装置を含むアンテナ装置の一例を示す背面図である。各図において、ｘｙｚ３次元直交座標系を規定している。以下、アンテナ装置の構成要素間の位置関係については、図１から図３に示した基本姿勢の状態を前提として説明する。
【００１１】
アンテナ装置１は、アンテナ反射板３１を含むアンテナ本体３と、アンテナ支持装置５と、冷却装置７とを有している。
【００１２】
冷却装置７は、供給された電力によって動作し、入力（流入）した暖気を冷却して冷気を放出する装置である。例えば、冷却装置７は、コンプレッサを含み、コンプレッサによって液化された冷媒の気化熱を利用して、冷気を放出する装置である。ここでは、冷却装置７は、冷却装置（第１冷却装置）７１と、冷却装置７２（第２冷却装置）とを有している。
【００１３】
アンテナ支持装置５は、支持体５１と、機器内包筐体５２とを有している。支持体５１は、機器内包筐体５２を「第１アジマス軸」及び「エレベーション軸」のそれぞれの周りに回転可能に支持する。
【００１４】
機器内包筐体５２は、アンテナ本体３のアンテナ通信機器（図示せず）が配設される内部空間ＳＰ５２、つまり、アンテナ通信機器（図示せず）を内包する内部空間ＳＰ５２を有している。また、機器内包筐体５２は、アンテナ反射板３１の裏面側（図１において−ｘ側）に配設されて、アンテナ反射板３１を固定（支持）している。従って、支持体５１は、機器内包筐体５２を介してアンテナ反射板３１を「第１アジマス軸」及び「エレベーション軸」のそれぞれの周りに回転可能に支持している。ここで、「第１アジマス軸」及び「エレベーション軸」は、互いに直交している回転軸である。第１アジマス軸とエレベーション軸との直交関係は、実際に直交していること、及び、第１アジマス軸とエレベーション軸とがねじれの位置に存在することも含む。
【００１５】
支持体５１は、支持ベース（マウント）５３と、ヨーク５４と、シャフト（第１軸）５５と、軸保持ボックス５６と、シャフト（第３軸）５７と、一対のアーム５８，５９とを有している。
【００１６】
支持ベース５３は、シャフト（第２軸）５３Ａを有している。シャフト５３Ａの中心軸は、上記の第１アジマス軸に対応する。シャフト５３Ａの上面には、ヨーク５４が配設（載置）されている。このため、シャフト５３Ａの回転に伴って、ヨーク５４が第１アジマス軸の周りに回転可能となっている。
【００１７】
ヨーク５４は、支持基台５４Ａと、支持基台５４Ａの両端部から上方（＋ｚ方向）に立ち上がる、一対の壁部（支持片）５４Ｂ，５４Ｃとを有している。支持基台５４Ａは、シャフト５３Ａの上面に配設されている。一対の壁部５４Ｂ，５４Ｃは、壁部５４Ｂと壁部５４Ｃとの間に、シャフト５５を回転可能に支持している。具体的には、シャフト５５は、部分シャフト５５Ａ及び部分シャフト５５Ｂを有している。そして、壁部５４Ｂは、部分シャフト５５Ａの一端部を回転可能に支持しており、壁部５４Ｃは、部分シャフト５５Ｂの一端部を回転可能に支持している。
【００１８】
軸保持ボックス５６は、壁部５４Ｂに保持されている一端部と反対側の部分シャフト５５Ａの他端部と連結され、且つ、壁部５４Ｃに保持されている一端部と反対側の部分シャフト５５Ｂの他端部と連結されている。すなわち、軸保持ボックス５６は、部分シャフト５５Ａと部分シャフト５５Ｂとが軸保持ボックス５６から互いに逆方向に延びるように、部分シャフト５５Ａ及び部分シャフト５５Ｂが連結されている。これにより、軸保持ボックス５６は、壁部５４Ｂと壁部５４Ｃとの間で宙に浮いた状態で、シャフト５５を介して壁部５４Ｂ，５４Ｃによって支持される。ここで、シャフト５５の中心軸は、上記のエレベーション軸に対応する。このため、シャフト５５の回転に伴って、軸保持ボックス５６がエレベーション軸の周りに回転可能となっている。
【００１９】
また、軸保持ボックス５６は、シャフト５７がシャフト５５と直交するように、シャフト５７を支持している。具体的には、シャフト５７は、部分シャフト５７Ａ及び部分シャフト５７Ｂを有している。そして、軸保持ボックス５６は、部分シャフト５７Ａと部分シャフト５７Ｂとが軸保持ボックス５６から互いに逆方向に延びるように、部分シャフト５７Ａの一端部及び部分シャフト５７Ｂの一端部が連結されている。
【００２０】
一対のアーム５８，５９は、アーム５８とアーム５９との間にシャフト５７を挟み込み、シャフト５７に対して回転可能に支持されている。具体的には、アーム５８は、軸保持ボックス５６に連結されている一端部と反対側の部分シャフト５７Ａの他端部を回転可能に保持しており、アーム５９は、軸保持ボックス５６に連結されている一端部と反対側の部分シャフト５７Ｂの他端部を回転可能に保持している。ここで、シャフト５７の中心軸は、「第２アジマス軸」に対応する。このため、シャフト５７に対してアーム５８，５９を回転させることによって、アーム５８，５９が第２アジマス軸の周りに回転可能となっている。
【００２１】
また、一対のアーム５８，５９は、機器内包筐体５２の後面５２Ａに連結されている。このため、アーム５８，５９の第２アジマス軸周りの回転に伴って、アンテナ反射板３１も第２アジマス軸周りの回転が可能となっている。
【００２２】
以上で説明したアンテナ装置１の基本構成により、支持体５１によって、アンテナ反射板３１を、第１アジマス軸、第２アジマス軸、及び、エレベーション軸の周りを回転可能に支持することができる。なお、第２アジマス軸は例えばアジマス角度の高速調整に用いられるものであり付加的な構成であるため、アンテナ装置１においてアンテナ反射板３１が第２アジマス軸の周りに回転できない構成であってもよい。すなわち、シャフト５７は、軸保持ボックス５６、アーム５８、及びアーム５９に固定的に連結されていてもよい。
【００２３】
＜アンテナ装置の具体的構成例＞
図４は、図２のＩＶ−ＩＶ矢視断面図である。図５は、図３のＶ−Ｖ矢視断面図である。
【００２４】
冷却装置（第１冷却装置）７１は、ヨーク５４の壁部（支持片）５４Ｂに対して相対的に自由に回転可能に、固定軸７１Ｃを介して壁部５４Ｂの外面に固定されている。これにより、アンテナ反射板３１を回転させる動作等に起因した振動等による、冷却装置７１に対する衝撃を緩和することができ、また、冷却装置７１の設置姿勢に関する要求を満たすことができる。
【００２５】
また、冷却装置７１は、冷気を放出する放出口７１Ａを有している。放出口７１Ａから放出された冷気は、壁部５４Ｂの内部空間ＳＰ５４Ｂ−１（第３冷気流路）へ入力される（流入する）。
【００２６】
また、冷却装置７１は、暖気（後述する中程度の冷気）を吸い込む吸込口７１Ｂを有している。壁部５４Ｂの内部空間ＳＰ５４Ｂ−２に存在する暖気（後述する中程度の冷気）が吸込口７１Ｂから冷却装置７１の中に取り込まれ、冷却装置７１は、取り込んだ暖気を冷却して冷気を放出口７１Ａから放出する。
【００２７】
壁部５４Ｂは、部分シャフト５５Ａを回転可能に支持する軸受部５４Ｂ１を有している。部分シャフト５５Ａは、筒状であり、筒状空間ＳＰ５５Ａを有している。
【００２８】
また、壁部５４Ｂは、仕切によって仕切られて互いに独立した、内部空間ＳＰ５４Ｂ−１，ＳＰ５４Ｂ−２を有している。内部空間ＳＰ５４Ｂ−１は、部分シャフト５５Ａの筒状空間ＳＰ５５Ａに連通している。このため、部分シャフト５５Ａの筒状空間ＳＰ５５Ａは、内部空間ＳＰ５４Ｂ−１の冷気が流れ込み、該冷気を通して軸保持ボックス５６の内部空間ＳＰ５６へ放出する、冷気流路（第２冷気流路）として機能する。
【００２９】
軸保持ボックス５６は、４つの開口部５６Ａ，５６Ｂ，５６Ｃ，５６Ｄを有している。また、軸保持ボックス５６は、内部空間ＳＰ５６を有している。この内部空間ＳＰ５６は、仕切によって仕切られて互いに独立した、内部空間ＳＰ５６−１，ＳＰ５６−２を有している。内部空間ＳＰ５６−１は、開口部５６Ａ，５６Ｂと連通しており、内部空間ＳＰ５６−２は、開口部５６Ｃ，５６Ｄと連通している。
【００３０】
また、軸保持ボックス５６は、筒状空間ＳＰ５５Ａと内部空間ＳＰ５６−１とが開口部５６Ａを介して連通するように、部分シャフト５５Ａが固定されている。このため、部分シャフト５５Ａの筒状空間ＳＰ５５Ａを通った冷気が開口部５６Ａから内部空間ＳＰ５６−１へ流れ込み、該流れ込んだ冷気が開口部５６Ｂから放出されることになる。従って、内部空間ＳＰ５６−１は、開口部５６Ａから流入した冷気を通して開口部５６Ｂから放出する、冷気流路（第１冷気流路）として機能している。
【００３１】
また、軸保持ボックス５６は、部分シャフト５７Ａの筒状空間ＳＰ５７Ａと内部空間ＳＰ５６−１とが開口部５６Ｂを介して連通するように、部分シャフト５７Ａが固定されている。軸保持ボックス５６に固定されている一端部と反対側の部分シャフト５７Ａの他端部は、アーム５８の軸受部５８Ａに回転可能に保持されている。アーム５８は、筒状空間ＳＰ５８を有しており、この筒状空間ＳＰ５８は、部分シャフト５７Ａの筒状空間ＳＰ５７Ａと連通する。これにより、部分シャフト５７Ａの筒状空間ＳＰ５７Ａの冷気がアーム５８の筒状空間ＳＰ５８に流入する。後述するように、アーム５８の筒状空間ＳＰ５８に流入した冷気は、機器内包筐体５２の内部空間ＳＰ５２に流入して、内部空間ＳＰ５２に配設されて熱を発するアンテナ通信機器を冷却するために用いられる。
【００３２】
また、軸保持ボックス５６は、部分シャフト５７Ｂの筒状空間ＳＰ５７Ｂと内部空間ＳＰ５６−２とが開口部５６Ｃを介して連通するように、部分シャフト５７Ｂが固定されている。軸保持ボックス５６に固定されている一端部と反対側の部分シャフト５７Ｂの他端部は、アーム５９の軸受部５９Ａに回転可能に保持されている。アーム５９は、筒状空間ＳＰ５９を有しており、この筒状空間ＳＰ５９は、部分シャフト５７Ｂの筒状空間ＳＰ５７Ｂと連通する。これにより、アーム５９の筒状空間ＳＰ５９の暖気が、部分シャフト５７Ｂの筒状空間ＳＰ５７Ｂを介して、軸保持ボックス５６の内部空間ＳＰ５６−２へ流入する。ここで、後述するように、アーム５９の筒状空間ＳＰ５９の暖気は、機器内包筐体５２の内部空間ＳＰ５２に流入した冷気がアンテナ通信機器の発熱によって熱せられて得られた暖気である。
【００３３】
また、軸保持ボックス５６は、部分シャフト５５Ｂの筒状空間ＳＰ５５Ｂと内部空間ＳＰ５６−２とが開口部５６Ｄを介して連通するように、部分シャフト５５Ｂが固定されている。これにより、アーム５９の筒状空間ＳＰ５９から開口部５６Ｃを介して内部空間ＳＰ５６−２へ流入した暖気が、開口部５６Ｄを介して部分シャフト５５Ｂの筒状空間ＳＰ５５Ｂへ放出される。従って、内部空間ＳＰ５６−２は、暖気流路（第１暖気流路）として機能している。
【００３４】
軸保持ボックス５６に固定されている一端部と反対側の部分シャフト５５Ｂの他端部は、ヨーク５４の壁部５４Ｃの軸受部５４Ｃ１に回転可能に支持されている。壁部５４Ｃは、仕切によって仕切られて互いに独立した、内部空間ＳＰ５４Ｃ−１，ＳＰ５４Ｃ−２を有している。部分シャフト５５Ｂの筒状空間ＳＰ５５Ｂは、壁部５４Ｃの内部空間ＳＰ５４Ｃ−１と連通している。このため、部分シャフト５５Ｂの筒状空間ＳＰ５５Ｂは、軸保持ボックス５６の内部空間ＳＰ５６−２の暖気が流れ込み、該暖気を通して壁部５４Ｃの内部空間ＳＰ５４Ｃ−１（第３暖気流路）へ放出する、暖気流路（第２暖気流路）として機能する。
【００３５】
ヨーク５４の壁部５４Ｃの外面には、冷却装置（第２冷却装置）７２が固定されている。冷却装置７２は、壁部５４Ｃに対して相対的に自由に回転可能に、固定軸７２Ｃを介して壁部５４Ｃの外面に固定されている。これにより、アンテナ反射板３１を回転させる動作等に起因した振動等による、冷却装置７２に対する衝撃を緩和することができ、また、冷却装置７２の設置姿勢に関する要求を満たすことができる。
【００３６】
冷却装置７２は、壁部５４Ｃの内部空間ＳＰ５４Ｃ−１（第３暖気流路）と連通して、内部空間ＳＰ５４Ｃ−１の暖気を吸い込む吸込口７２Ｂを有している。また、冷却装置７２は、壁部５４Ｃの内部空間ＳＰ５４Ｃ−２と連通して、内部空間ＳＰ５４Ｃ−２へ冷気を放出する放出口７２Ａを有している。すなわち、壁部５４Ｃの内部空間ＳＰ５４Ｃ−１に存在する暖気が吸込口７２Ｂから冷却装置７２の中に取り込まれ、冷却装置７２は、取り込んだ暖気を冷却して冷気を放出口７２Ａから内部空間ＳＰ５４Ｃ−２へ放出する。
【００３７】
壁部５４Ｃの内部空間ＳＰ５４Ｃ−２及び壁部５４Ｂの内部空間ＳＰ５４Ｂ−２は、それぞれ、支持基台５４Ａの内部空間ＳＰ５４Ａと連通している。これにより、冷却装置７２の放出口７２Ａと冷却装置７１の吸込口７１Ｂとは、内部空間ＳＰ５４Ｃ−２、内部空間ＳＰ５４Ａ、及び内部空間ＳＰ５４Ｂ−２によって、繋がっている。すなわち、内部空間ＳＰ５４Ｃ−２、内部空間ＳＰ５４Ａ、及び内部空間ＳＰ５４Ｂ−２は、冷却装置７２と冷却装置７１とを接続する、「冷却装置間流路」として機能する。
【００３８】
ここで、冷却装置７２は、壁部５４Ｃの内部空間ＳＰ５４Ｃ−１の暖気を冷却して、冷気（実際上、中程度の冷気）を冷却装置間流路へ放出する。そして、冷却装置７１は、冷却装置７２から放出された冷気、つまり、冷却装置間流路の中程度の冷気をさらに冷却して、壁部５４Ｂの内部空間ＳＰ５４Ｂ−１へ放出する。このように、冷却装置７２及び冷却装置７１が協働して冷気を機器内包筐体５２へ送り込むことができるので、冷却能力をさらに向上させることができる。
【００３９】
以上で説明した支持体５１の構成により、図６に示すように、冷却装置７１から放出された冷気は、内部空間ＳＰ５４Ｂ−１、筒状空間ＳＰ５５Ａ、内部空間ＳＰ５６−１、筒状空間ＳＰ５７Ａ、及び、筒状空間ＳＰ５８を介して、機器内包筐体５２の内部空間ＳＰ５２へ流入する。そして、機器内包筐体５２に配設されたアンテナ通信機器の発熱によって熱せられた暖気が筒状空間ＳＰ５９に放出されて、筒状空間ＳＰ５９、筒状空間ＳＰ５７Ｂ、内部空間ＳＰ５６−２、筒状空間ＳＰ５５Ｂ、及び、内部空間ＳＰ５４Ｃ−１を介して、冷却装置７２に入力される。図６は、支持体５１の内部における空気の流れを概略的に示す図である。
【００４０】
機器内包筐体５２の後面５２Ａには、開口部（冷気入力口）５２Ａ１及び開口部（暖気放出口）５２Ａ２が設けられている。また、機器内包筐体５２は、内部空間ＳＰ５２として、内部空間ＳＰ５２−１と、内部空間ＳＰ５２−２とを有している。内部空間ＳＰ５２−１は、開口部５２Ａ１を介して、筒状空間ＳＰ５８と連通している。これにより、冷却装置７１から放出された冷気が、内部空間ＳＰ５２−１へ流入する。
【００４１】
図７及び図８は、機器内包筐体の内部構成の一例を模式的に示す図である。図７は、図５の断面図に対応する図であり、図８は、＋ｘ側から機器内包筐体５２を見た図である。
【００４２】
機器内包筐体５２の内部空間ＳＰ５２−１の中央部には、アンテナ通信機器８０が配設されている。機器内包筐体５２の内部空間ＳＰ５２−１の中央部よりも開口部５２Ａ１に近い位置、つまり、機器内包筐体５２の内部空間ＳＰ５２−１の中央部の上流側には、アシストファン５２Ｂが配設されている。アシストファン５２Ｂは、開口部５２Ａ１から流入する冷気を引っ張って、内部空間ＳＰ５２−１の中央部に送り出す。これにより、内部空間ＳＰ５２−１の冷気の静圧を高めることができるので、冷却効率を向上させることができる。
【００４３】
機器内包筐体５２の内部空間ＳＰ５２−１の中央部よりも開口部５２Ａ２に近い位置、つまり、機器内包筐体５２の内部空間ＳＰ５２−１の中央部の下流側には、アシストファン５２Ｃが配設されている。アシストファン５２Ｃは、例えば、開口部（暖気放出口）５２Ａ２に配設されている。そして、アシストファン５２Ｃは、内部空間ＳＰ５２−１の中央部でアンテナ通信機器８０によって熱せられた暖気を引っ張って、アーム５９の筒状空間ＳＰ５９へ送り出す。これにより、内部空間ＳＰ５２−１の中央部でアンテナ通信機器８０によって熱せられた暖気を、内部空間ＳＰ５２−１から効率良く放出することができる。
【００４４】
内部空間ＳＰ５２−２は、内部空間ＳＰ５２−１を挟んでアンテナ反射板３１と反対側に配設されて、連通孔５２Ｄを介して内部空間ＳＰ５２−１に連通している。これにより、内部空間ＳＰ５２−２によって機器内包筐体５２の中に断熱空気層を形成することができるので、冷却効率をさらに向上させることができる。
【００４５】
連通孔５２Ｄには、ＬＮＡ８１のファンが配設されている。これにより、内部空間ＳＰ５２−１から内部空間ＳＰ５２−２に流れ込む冷気を、特に発熱量の大きいＬＮＡ８１の冷却に利用することができる。
【００４６】
ここで、上記の通り、機器内包筐体５２の内部空間ＳＰ５２−１の中央部には、アンテナ通信機器８０が配設されている。このアンテナ通信機器８０は、例えば、図７，８に示すように、ＬＮＡ（低雑音アンプ）８１と、アンプ電力供給装置８２−１，８２−２と、ネットワークスイッチ８３と、ＴＲＫ  ＲＸ（TRacKing Received eXchange）８４と、モデム８５と、電力供給装置８６と、光送受信機８７とを含んでいる。アンプ電力供給装置８２−１，８２−２は、ＬＮＡ８１に対して電力を供給する電源装置である。ＴＲＫ  ＲＸ８４は、捕捉対象の移動体が発信する信号を受信してトラッキングするための装置である。電力供給装置８６は、ＬＮＡ８１以外の装置に電力を供給する電源装置である。光送受信機８７は、光ケーブルを介して光信号を送受信する装置である。
【００４７】
図８における配置例では、内部空間ＳＰ５２−１の＋ｙ側領域に、アンプ電力供給装置８２−１及びＴＲＫ  ＲＸ８４が配設されている。そして、内部空間ＳＰ５２−１の−ｙ側領域に、アンプ電力供給装置８２−２、ネットワークスイッチ８３、モデム８５、電力供給装置８６、及び光送受信機８７が配設されている。そして、内部空間ＳＰ５２−１の＋ｙ側領域と−ｙ側領域とに挟まれる中央領域には、図７に示されるＬＮＡ８１が配設されている。内部空間ＳＰ５２−１では、整流板を適切に配置することにより、アシストファン５２Ｂによって引き込まれた冷気が、−ｙ側領域、中央領域、及び＋ｙ側領域にバランス良く配分されるようになっている。
【００４８】
ここで、シャフト５５及び軸保持ボックス５６をエレベーション軸周りに回転させる回転駆動力を出力する動力出力装置（例えば、モータ）Ｍ１は、図４に示すように、ヨーク５４の壁部５４Ｃの内部空間ＳＰ５４Ｃ−２（つまり、冷却装置間流路）に配設されてもよい。これにより、動力出力装置Ｍ１も適温で動作させることができる。
【００４９】
動力出力装置Ｍ１から出力される回転駆動力は、動力伝達部６０によって、シャフト５５及び軸保持ボックス５６へ伝達される。動力伝達部６０は、例えば、図４に示すように、減速機６１，６２、及び、歯車６３を含んでいる。歯車６３は、シャフト５５Ｂ（つまり、エレベーション軸）を囲むように、軸保持ボックス５６に固定されている。
【００５０】
さらに、アーム５８，５９、機器内包筐体５２及びアンテナ本体３を第２アジマス軸周りに回転させる回転駆動力を出力する動力出力装置（例えば、モータ）Ｍ２は、図４に示すように、軸保持ボックス５６の内部空間ＳＰ５６−１に配設されてもよい。これにより、動力出力装置Ｍ２も適温で動作させることができる。
【００５１】
動力出力装置Ｍ２から出力される回転駆動力は、歯車６６を含む動力伝達部６５によって、アーム５８，５９へ伝達される。歯車６６は、部分シャフト５７Ｂ（つまり、第２アジマス軸）を囲むように、アーム５９に固定されている。
【００５２】
以上のように第１実施形態によれば、アンテナ支持装置５において支持体５１は、アンテナ反射板３１と共に支持体５１に回転可能に支持される機器内包筐体５２を有している。機器内包筐体５２は、アンテナ通信機器８０を内包する内部空間ＳＰ５２を有すると共に、冷却装置７から放出された冷気を内部空間ＳＰ５２に入力する開口部（冷気入力口）５２Ａ１及びアンテナ通信機器８０の発熱によって開口部から入力された冷気が熱せられて得られた暖気を冷却装置７に向けて放出する開口部（暖気放出口）５２Ａ２を有している。
【００５３】
このアンテナ支持装置５の構成により、アンテナ通信機器８０を内部空間に内包する機器内包筐体５２に、冷却装置７から放出された冷気を入力する冷気入力口及び暖気を冷却装置に向けて放出する暖気放出口を設けたことで、多量の冷気を機器内包筐体５２内に流すことが可能となり、大型アンテナ装置においてもアンテナ通信機器８０を十分に冷却することができる。この結果、アンテナ装置１が設置される地域及び気候に左右されずアンテナ装置の汎用性を向上させることができる、アンテナ支持装置５を実現することができる。
【００５４】
また、アンテナ支持装置５において支持体５１は、シャフト５５を保持してシャフト５５によって回転可能に支持される軸保持ボックス５６を有している。軸保持ボックス５６は、冷却装置７から放出された冷気を通して開口部（冷気入力口）５２Ａ１へ放出する第１冷気流路（内部空間ＳＰ５６−１）と、開口部（暖気放出口）５２Ａ２から放出された暖気を通して冷却装置７に向けて放出する第１暖気流路（内部空間ＳＰ５６−２）とを、内部に有している。
【００５５】
このアンテナ支持装置５の構成により、軸保持ボックス５６を冷気及び暖気の流路としても利用することができるため、アンテナ装置構成の他に流路用構造を別途設ける必要がないので、コスト効率及び空間効率を向上させることができる。
【００５６】
また、アンテナ支持装置５においてシャフト５５は、部分シャフト５５Ａ及び部分シャフト５５Ｂを有している。部分シャフト５５Ａは、筒状であって、冷却装置７から放出された冷気を通して第１冷気流路（内部空間ＳＰ５６−１）へ冷気を放出する第２冷気流路（筒状空間ＳＰ５５Ａ）を有している。部分シャフト５５Ｂは、筒状であって、第１暖気流路（内部空間ＳＰ５６−２）から放出された暖気を通して冷却装置７に向けて暖気を放出する第２暖気流路（筒状空間ＳＰ５５Ｂ）を有している。
【００５７】
このアンテナ支持装置５により、アンテナ反射板３１を回転可能にするシャフト５５を冷気及び暖気の流路としても利用することができるため、アンテナ装置構成の他に流路用構造を別途設ける必要がないので、コスト効率及び空間効率を向上させることができる。
【００５８】
また、アンテナ支持装置５において支持体５１は、部分シャフト５５Ａ及び部分シャフト５５Ｂをそれぞれ支持する一対の壁部（第１支持片）５４Ｂ及び壁部（第２支持片）５４Ｃを有している。壁部５４Ｂは、第２冷気流路（筒状空間ＳＰ５５Ａ）と連通して冷却装置７１から放出された冷気を通して第２冷気流路へ冷気を放出する第３冷気流路（内部空間ＳＰ５４Ｂ−１）を内部に有している。壁部５４Ｃは、第２暖気流路（筒状空間ＳＰ５５Ｂ）と連通して第２暖気流路から放出された暖気を通して冷却装置７２へ暖気を放出する第３暖気流路（内部空間ＳＰ５４Ｃ−１）を内部に有する。
【００５９】
このアンテナ支持装置５の構成により、アンテナ反射板３１を回転可能にするシャフト５５を支持する一対の壁部５４Ｂ及び壁部５４Ｃの内部空間を流路としても利用することができるため、アンテナ装置構成の他に流路用構造を別途設ける必要がないので、コスト効率及び空間効率を向上させることができる。
【００６０】
そして、冷却装置７１及び冷却装置７２は、互いに冷却装置間流路によって接続されている。そして、冷却装置７２は、壁部（第２支持片）５４Ｃの外面に配設されて、第３暖気流路（内部空間ＳＰ５４Ｃ−１）から放出された暖気を入力して、冷気を冷却装置間流路へ放出する。そして、冷却装置７１は、壁部（第１支持片）５４Ｂの外面に配設されて、冷却装置７２から放出された冷気を冷却装置間流路を介して入力して、冷却装置７２から放出された冷気よりもさらに冷えた冷気を第３冷気流路（内部空間ＳＰ５４Ｂ−１）へ放出する。これにより、複数の冷却装置７１，７２を協働させて冷気を機器内包筐体５２へ送り込むことができるので、冷却能力をさらに向上させることができる。
【００６１】
そして、冷却装置７１は、壁部（第１支持片）５４Ｂに対して相対的に自由に回転可能に固定軸（第１固定軸）７１Ｃを介して固定され、冷却装置７２は、壁部（第２支持片）５４Ｃに対して相対的に自由に回転可能に固定軸（第２固定軸）７２Ｃを介して固定されている。これにより、アンテナ反射板３１を回転させる動作等に起因した振動等による、冷却装置７１，７２に対する衝撃を緩和することができ、また、冷却装置７１，７２の設置姿勢に関する要求を満たすことができる。
【００６２】
また、アンテナ支持装置５は、冷却装置間流路に配設されて、軸保持ボックス５６をシャフト５５の周りに回転させる回転駆動力を出力する動力出力装置Ｍ２を有している。
【００６３】
このアンテナ支持装置５の構成により、動力出力装置Ｍ２も適温で動作させることができる。
【００６４】
また、アンテナ支持装置５において支持体５１は、一対の壁部（第１支持片）５４Ｂ及び壁部（第２支持片）５４Ｃが連結されて、シャフト（第２軸）５３Ａの回転に伴って一対の壁部（第１支持片）５４Ｂ及び壁部（第２支持片）５４Ｃと共に回転可能な支持基台５４Ａを有している。そして、上記の冷却装置間流路は、支持基台５４Ａの内部空間ＳＰ５４Ａを含んでいる。
【００６５】
このアンテナ支持装置５の構成により、一対の壁部（第１支持片）５４Ｂ及び壁部（第２支持片）５４Ｃが連結する支持基台５４Ａの内部空間ＳＰ５４Ａを冷却装置間流路としても利用することができるため、アンテナ装置構成の他に流路用構造を別途設ける必要がないので、コスト効率及び空間効率を向上させることができる。
【００６６】
また、アンテナ支持装置５は、機器内包筐体５２の内部空間ＳＰ５２に配設されて、内部空間ＳＰ５２の静圧を高めるアシストファン５２Ｂをさらに有している。
【００６７】
このアンテナ支持装置５の構成により、機器内包筐体５２の内部空間ＳＰ５２内における冷気の静圧を高めることができるので、冷却効率を向上させることができる。
【００６８】
また、アンテナ支持装置５において機器内包筐体５２は、内部空間ＳＰ５２として、アンテナ通信機器８０が配設された内部空間（第１部分空間）ＳＰ５２−１と、内部空間ＳＰ５２−１を挟んでアンテナ反射板３１と反対側に配設されて、連通孔５２Ｄを介して内部空間ＳＰ５２−１と連通する内部空間（第２部分空間）ＳＰ５２−２とを有している。
【００６９】
このアンテナ支持装置５の構成により、内部空間（第２部分空間）ＳＰ５２−２によって機器内包筐体５２内に断熱空気層を形成することができるので、冷却効率をさらに向上させることができる。
【００７０】
＜他の実施形態＞
＜１＞第１実施形態では、冷却装置７として２つの冷却装置７１，７２がアンテナ装置１に配設されることを前提に説明したが、これに限定されるものではなく、アンテナ装置１には冷却装置７として１つの冷却装置７１が配設されてもよい。例えば、アンテナ装置１が設置される環境の温度がそれほど高くならない場合には、アンテナ装置１に配設される冷却装置７を冷却装置７１の１つにすることもできる。この場合には、壁部５４Ｃの内部空間ＳＰ５４Ｃ−１と内部空間ＳＰ５４Ｃ−２とを連通させて、アンテナ支持装置５の内部で空気を循環させればよい。
【００７１】
＜２＞第１実施形態でも言及したように、第２アジマス軸は例えばアジマス角度の高速調整に用いられるものであり付加的な構成であるため、アンテナ装置１においてアンテナ反射板３１が第２アジマス軸の周りに回転できない構成であってもよい。すなわち、シャフト５７は、軸保持ボックス５６、アーム５８、及びアーム５９に固定的に連結されていてもよい。
【００７２】
なお、本発明は上記の実施形態に限られたものではなく、趣旨を逸脱しない範囲で適宜変更することが可能である。
【００７３】
上記の実施形態の一部又は全部は、以下の付記のようにも記載されうるが、以下には限られない。
（付記１）アンテナ反射板を、互いに直交する第１軸及び第２軸のそれぞれの周りに回転可能に支持する支持体と、
前記アンテナ反射板と共に前記支持体に回転可能に支持される筐体であって、アンテナ通信機器を内包する内部空間を有すると共に、冷却装置から放出された冷気を前記内部空間に入力する冷気入力口及び前記アンテナ通信機器の発熱によって前記冷気入力口から入力された冷気が熱せられて得られた暖気を前記冷却装置に向けて放出する暖気放出口を有する、機器内包筐体と、
を具備するアンテナ支持装置。
（付記２）前記支持体は、前記第１軸を保持して前記第１軸によって回転可能に支持される軸保持箱を有し、
前記軸保持箱は、前記冷却装置から放出された冷気を通して前記冷気入力口へ放出する第１冷気流路と、前記暖気放出口から放出された暖気を通して前記冷却装置に向けて放出する第１暖気流路とを、内部に有する、
付記１記載のアンテナ支持装置。
（付記３）前記第１軸は、第１部分軸及び第２部分軸を有し、
前記第１部分軸は、筒状であって、前記冷却装置から放出された冷気を通して前記第１冷気流路へ冷気を放出する第２冷気流路を有し、
前記第２部分軸は、筒状であって、前記第１暖気流路から放出された暖気を通して前記冷却装置に向けて暖気を放出する第２暖気流路を有する、
付記２記載のアンテナ支持装置。
（付記４）前記支持体は、前記第１部分軸及び前記第２部分軸をそれぞれ支持する一対の第１支持片及び第２支持片を有し、
前記第１支持片は、前記第２冷気流路と連通して前記冷却装置から放出された冷気を通して前記第２冷気流路へ冷気を放出する第３冷気流路を内部に有し、
前記第２支持片は、前記第２暖気流路と連通して前記第２暖気流路から放出された暖気を通して前記冷却装置へ暖気を放出する第３暖気流路を内部に有する、
付記３記載のアンテナ支持装置。
（付記５）前記冷却装置は、互いに冷却装置間流路によって接続された第１冷却装置及び第２冷却装置を有し、
前記第２冷却装置は、前記第２支持片の外面に配設されて、前記第３暖気流路から放出された暖気を入力して、冷気を前記冷却装置間流路へ放出し、
前記第１冷却装置は、前記第１支持片の外面に配設されて、前記第２冷却装置から放出された冷気を前記冷却装置間流路を介して入力して、前記第２冷却装置から放出された冷気よりもさらに冷えた冷気を前記第３冷気流路へ放出する、
付記４記載のアンテナ支持装置。
（付記６）前記冷却装置間流路に配設されて、前記軸保持箱を前記第１軸の周りに回転させる回転駆動力を出力する動力出力装置を有する、付記５記載のアンテナ支持装置。
（付記７）前記支持体は、前記第１支持片及び前記第２支持片が連結されて、前記第２軸の回転に伴って前記第１支持片及び前記第２支持片と共に回転可能な支持基台を有し、
前記冷却装置間流路は、前記支持基台の内部空間を含む、
付記５又は６に記載のアンテナ支持装置。
（付記８）前記第１冷却装置は、前記第１支持片に対して相対的に自由に回転可能に第１固定軸を介して固定され、
前記第２冷却装置は、前記第２支持片に対して相対的に自由に回転可能に第２固定軸を介して固定されている、
付記５から７のいずれか１つに記載のアンテナ支持装置。
（付記９）前記支持体は、
前記第１軸を保持して前記第１軸によって回転可能に支持される軸保持箱と、
前記第１軸を支持する一対の第１支持片及び第２支持片と、
前記第１支持片及び前記第２支持片が連結されて、前記第２軸の回転に伴って前記第１支持片及び前記第２支持片と共に回転可能な支持基台と、
前記軸保持箱によって前記第１軸に対して回転可能に支持されて、前記機器内包筐体を回転可能に支持する、前記第１軸に直交する第３軸と、
を具備する付記１記載のアンテナ支持装置。
（付記１０）前記軸保持箱は、前記冷却装置から放出された冷気を通して前記冷気入力口へ放出する第１冷気流路と、前記暖気放出口から放出された暖気を通して前記冷却装置に向けて放出する第１暖気流路とを、内部に有し、
前記アンテナ支持装置は、前記第１冷気流路に配設されて、前記アンテナ反射板を前記第３軸の周りに回転させる回転駆動力を出力する動力出力装置を有する、
付記９記載のアンテナ支持装置。
（付記１１）前記機器内包筐体の内部空間に配設されて、該内部空間の静圧を高めるファンをさらに具備する、
付記１から１０のいずれか１つに記載のアンテナ支持装置。
（付記１２）前記機器内包筐体は、前記アンテナ反射板の裏面側に配設されており、前記機器内包筐体の内部空間として、前記アンテナ通信機器が配設された第１部分空間と、前記第１部分空間を挟んで前記アンテナ反射板と反対側に配設されて、連通孔を介して前記第１部分空間と連通する第２部分空間とを有する、
付記１から１１のいずれか１つに記載のアンテナ支持装置。
【符号の説明】
【００７４】
１  アンテナ装置
３  アンテナ本体
５  アンテナ支持装置
７，７１，７２  冷却装置
３１  アンテナ反射板
５１  支持体
５２  機器内包筐体
５２Ａ  後面
５２Ａ１，５２Ａ２，５６Ａ，５６Ｂ，５６Ｃ，５６Ｄ  開口部
５２Ｂ，５２Ｃ  アシストファン
５２Ｄ  連通孔
５３  支持ベース
５３Ａ，５５，５７  シャフト
５４  ヨーク
５４Ａ  支持基台
５４Ａ１，５４Ｃ１，５８Ａ，５９Ａ  軸受部
５４Ｂ，５４Ｃ  壁部
５５Ａ，５５Ｂ，５７Ａ，５７Ｂ  部分シャフト
５６  軸保持ボックス
５８，５９  アーム
６０，６５  動力伝達部
６１，６２  減速機
６３，６６  歯車
７１Ａ，７２Ａ  放出口
７１Ｂ，７２Ｂ  吸込口
７１Ｃ，７２Ｃ  固定軸
８０  アンテナ通信機器
８１  ＬＮＡ（低雑音アンプ）
８２  アンプ電力供給装置
８３  ネットワークスイッチ
８４  ＴＲＫ  ＲＸ（TRacKing Received eXchange）
８５  モデム
８６  電力供給装置
８７  光送受信機
Ｍ１，Ｍ２  動力出力装置
ＳＰ５２，ＳＰ５４Ａ，ＳＰ５４Ｂ，ＳＰ５４Ｃ，ＳＰ５６  内部空間
ＳＰ５５Ａ，ＳＰ５５Ｂ，ＳＰ５７Ａ，ＳＰ５７Ｂ，ＳＰ５８，ＳＰ５９  筒状空間
【図１】
2019062280.tif 000003
【図２】
2019062280.tif 000004
【図３】
2019062280.tif 000005
【図４】
2019062280.tif 000006
【図５】
2019062280.tif 000007
【図６】
2019062280.tif 000008
【図７】
2019062280.tif 000009
【図８】
2019062280.tif 000010